(57)【特許請求の範囲】
【請求項１】
遊技球を案内するガイドレールと、過大な勢いのある遊技球を止める球止めを含む弾球遊技機の遊技盤装置において、ガイドレールは、遊技球の弾道方向上流から球止めの設置位置を包含する外レールを有し、この外レールに球止めを一体化し、ガイドレールにおける球案内面側の裾部に、遊技球の外面に沿うアールを設けたことを特徴とする弾球遊技機の遊技盤装置。
【請求項２】
遊技球を案内するガイドレールと、過大な勢いのある遊技球を止める球止めを含む弾球遊技機の遊技盤装置において、球止めは、背方に空隙をもつ球当接壁を有し、この球当接壁をガイドレールに一体化し、ガイドレールにおける球案内面側の裾部に、遊技球の外面に沿うアールを設けたことを特徴とする弾球遊技機の遊技盤装置。
【請求項３】
遊技球を案内するガイドレールと、過大な勢いのある遊技球を止める球止めを含む弾球遊技機の遊技盤装置において、ガイドレールは、遊技球の弾道方向上流から球止めの設置位置を包含する外レールを有し、球止めは、背方に空隙をもつ球当接壁を有し、外レールに球当接壁を一体化し、ガイドレールにおける球案内面側の裾部に、遊技球の外面に沿うアールを設けたことを特徴とする弾球遊技機の遊技盤装置。
【請求項４】
ガイドレールにおける上流側の球入口部近傍に、遊技球の飛び出しを阻止する球カバーを一体化した請求項１〜３何れか一記載の弾球遊技機の遊技盤装置。
【請求項５】
ガイドレールは、上流側の球入口部から下流側の球止めに至る略半円弧状部材を有し、この半円弧状部材は、遊技球を案内する内壁と、この内壁と中空部を隔てて連続する外壁を有する請求項１〜４何れか一記載の弾球遊技機の遊技盤装置。
【請求項６】
内壁と外壁とを、中空部を横切る複数のリブで連結した請求項５記載の弾球遊技機の遊技盤装置。
【請求項７】
外壁の外側に、遊技盤への取付片を設けた請求項５又は６記載の弾球遊技機の遊技盤装置。
【発明の詳細な説明】
【０００１】
【発明の属する技術分野】
本発明は、パチンコ遊技機、アレンジボール遊技機、雀球遊技機等のいわゆる弾球遊技機に具備させる遊技盤装置に関する。
【０００２】
【従来の技術】
従来、過大な力で弾発された遊技球を止める球止めは、ゴム等の比較的柔軟な弾性部材から成り、遊技球を迎え撃つガイドレールの右上方位置に、ネジ止めや挟み込み等により取付けている。本来、通常の適正な弾発強さでは遊技球は球止めに当たらないが、遊技開始初期等、発射ハンドルの調節が不適正な場合に、勢い余った遊技球が球止めに当たり、減速及び方向転換させられて遊技領域に流下させられる。
【０００３】
【発明が解決しようとする課題】
しかし、球止めはゴム等の比較的柔軟な弾性部材から成る別体のものであるため、部品数及び組付工数が増えてコスト高になると共に、劣化による交換が必要になったり、劣化により遊技盤面が黒ずむ問題がある。
【０００４】
本発明では、別体のゴム等を用いずに、しかも破損なく遊技球の衝撃を受け止めることができ、部品数及び組付工数を減らして低コスト化を図ると共に、交換の繁雑さや黒ずみの問題も解消できる弾球遊技機の遊技盤装置を提供することを主目的とする。
【０００５】
【課題を解決するための手段】
請求項１記載の発明は、ガイドレールと球止めの物理的な関係を工夫することにより上記主目的を達成するものであり、遊技球を案内するガイドレールと、過大な勢いのある遊技球を止める球止めを含む弾球遊技機の遊技盤装置において、ガイドレールは、遊技球の弾道方向上流から球止めの設置位置を包含する外レールを有し、この外レールに球止めを一体化し、ガイドレールにおける球案内面側の裾部に、遊技球の外面に沿うアールを設けた。外レールは、ガイドレールにおける上流側の球入口部から延びるものの他、上流側の球入口部から下流側の球止めに至る途中部位から延びるものも含む。また、球止めの設置位置を越えて延びるものも含む。
【０００６】
請求項２記載の発明は、球止めの構造を工夫することにより上記主目的を達成するものであり、請求項１と同一の前提条件において、球止めは、背方に空隙をもつ球当接壁を有し、この球当接壁をガイドレールに一体化し、ガイドレールにおける球案内面側の裾部に、遊技球の外面に沿うアールを設けた。空隙は、枠状等により外方を区画したものとする他、一部を開放させたものでもよい。
【０００７】
請求項３記載の発明は、ガイドレールと球止めの物理的な関係と球止めの構造とを工夫することにより上記主目的を効果的に達成するものであり、請求項１と同一の前提条件において、ガイドレールは、遊技球の弾道方向上流から球止めの設置位置を包含する外レールを有し、球止めは、背方に空隙をもつ球当接壁を有し、外レールに球当接壁を一体化し、ガイドレールにおける球案内面側の裾部に、遊技球の外面に沿うアールを設けた。
【０００９】
請求項４記載の発明は、部品数及び組付工数の一層の削減を図るため、ガイドレールにおける上流側の球入口部近傍に、遊技球の飛び出しを阻止する球カバーを一体化した。球カバーは、主に、戻り球と発射球とがぶつかってガラスに当たるのを防止する役目を担う。
【００１０】
請求項５記載の発明は、ガイドレールの剛性を高め、安定した遊技球の案内及び球止めを行うため、ガイドレールは、上流側の球入口部から下流側の球止めに至る略半円弧状部材を有し、この半円弧状部材は、遊技球を案内する内壁と、この内壁と中空部を隔てて連続する外壁を有するものとした。
【００１１】
請求項６記載の発明は、ガイドレールの剛性を一層高めるため、内壁と外壁とを、中空部を横切る複数のリブで連結した。
【００１２】
請求項７記載の発明は、ガイドレールの遊技盤への取付けを簡易且つ良好にするため、外壁の外側に、遊技盤への取付片を設けた。
【００１３】
【発明の作用効果】
請求項１記載の発明では、遊技球の弾道方向上流から球止めの設置位置を包含する外レールに球止めを一体化し、ガイドレールにおける球案内面側の裾部に、遊技球の外面に沿うアールを設けたから、勢いのつき過ぎた遊技球が球止めに当たると、外レールが伸びる方向に衝撃が加わる。このため、衝突部分の破損を防止できながら、良好に遊技球の衝撃を受け止めることができる。しかも、ゴム等の別体のものを使用しないため、部品数及び組付工数を減らせて低コスト化が図れると共に、交換の繁雑さや黒ずみの問題も解消できる。さらに、遊技球は、ガイドレールにおける球案内面側の裾部に設けたアールに沿って案内される。このため、遊技球の弾道軌跡を安定化させることができる。また、アールによってガイドレールの強度が増すと共に、従来の直角構造のものに比べて隙間にゴミが溜まることも少なく、また、溜まったゴミの清掃も容易になる。
【００１４】
請求項２記載の発明では、球止めは、背方に空隙をもち、ガイドレールに一体化した球当接壁を有し、ガイドレールにおける球案内面側の裾部に、遊技球の外面に沿うアールを設けた。勢いのつき過ぎた遊技球がこの球当接壁に当たると、背方の空隙で衝撃が吸収される。このため、球当接壁の破損を防止できながら、良好に遊技球の衝撃を受け止めることができる。しかも、ゴム等の別体のものを使用しないため、部品数及び組付工数を減らせて低コスト化が図れると共に、交換の繁雑さや黒ずみの問題も解消できる。さらに、遊技球は、ガイドレールにおける球案内面側の裾部に設けたアールに沿って案内される。このため、遊技球の弾道軌跡を安定化させることができる。また、アールによってガイドレールの強度が増すと共に、従来の直角構造のものに比べて隙間にゴミが溜まることも少なく、また、溜まったゴミの清掃も容易になる。
【００１５】
請求項３記載の発明では、遊技球の弾道方向上流から球止めの設置位置を包含する外レールに球当接壁を一体化し、ガイドレールにおける球案内面側の裾部に、遊技球の外面に沿うアールを設けたから、勢いのつき過ぎた遊技球が球当接壁に当たると、外レールが伸びる方向に衝撃が加わる。また、勢いのつき過ぎた遊技球がこの球当接壁に当たると、背方の空隙で衝撃が吸収される。このため、衝突部分の破損を防止できながら、一層良好に遊技球の衝撃を受け止めることができ、主目的をより効果的に達成し得る。さらに、遊技球は、ガイドレールにおける球案内面側の裾部に設けたアールに沿って案内される。このため、遊技球の弾道軌跡を安定化させることができる。また、アールによってガイドレールの強度が増すと共に、従来の直角構造のものに比べて隙間にゴミが溜まることも少なく、また、溜まったゴミの清掃も容易になる。
【００１７】
請求項４記載の発明では、ガイドレールにおける上流側の球入口部近傍に、遊技球の飛び出しを阻止する球カバーを一体化したから、従来広く用いられている別体の球カバーは不要になり、部品数及び組付工数の一層の削減が図れる。
【００１８】
請求項５記載の発明では、ガイドレールは中空部を隔てて連続する内壁及び外壁を有するため、その剛性を高め得る。しかも、ガイドレールは上流側の球入口部から下流側の球止めに至る略半円弧状部材を有し、遊技球はその半円弧状の内壁に沿って案内される。その案内路の途中にレールの切れ目はなく、連続的な案内がなされるため、遊技球の弾道軌跡を安定化できる。これと共に、球止めに至る経路も連続した案内路となるため、球止めも良好になし得る。
【００１９】
請求項６記載の発明では、ガイドレールの内壁と外壁とは中空部を横切る複数のリブで連結されるため、レール全体の剛性を一層高めることができる。
【００２０】
請求項７記載の発明では、取付片を介してガイドレールを遊技盤に取付けることができ、その取付けを簡易且つ良好に行える。また、取付片によりレール全体の剛性を一層高めることができる。
【００２１】
【発明の実施の形態】
図１において、１は、遊技盤２を構成する透明な樹脂製の基盤である。厚みを例えば１０ｍｍ程度とした平板を用いている。基盤１には、遊技球を案内するガイドレール２０を設けている。ガイドレール２０は、発射装置から打ち出す遊技球を遊技領域に導く略半円弧状の外レール２Ａと、これに連続し、遊技領域の右側を区画する略３分の１円弧状の中レール２Ｂと、外レール２Ａの内側において遊技領域の左側を区画する略３分の１円弧状の内レール２Ｃを具備する。外レール２Ａと中レール２Ｂの連続部には、過大な勢いのある遊技球を止める球止め８を設けている。
【００２２】
ガイドレール２０で囲まれる遊技領域には、特別図柄表示装置２１、その可変表示を起動する第１種始動口上２２Ｕ、同じく可変表示を起動する電動チューリップから成る第１種始動口下２２Ｄ、始動入賞を４つまで記憶する記憶ＬＥＤ２３、特別図柄表示装置２１上で数字等が３列全て揃う大当たりが発生した時に開放されるアタッカ２４、第１種始動口下２２Ｄを開成させる抽選を起動するゲート右２５Ｒ及びゲート左２５Ｌ、上下左右４個の一般入賞口２６Ａ〜Ｄ、盤面サイドランプ２７Ｒ，Ｌ、４個の風車２８Ａ〜Ｄ、アウト口２９を設けている。遊技釘７は多数にのぼるため、一部のみ描いている。
【００２３】
図２に示すように、外レール２Ａにおける遊技球の弾道方向下流側の端部には、球止め８を一体成型により一体化している。また、その上流側の球入口部２Ａｅの近傍には、遊技球の飛び出しを阻止する球カバー９を一体成型により一体化している。外レール２Ａの全体は、例えば蛍光ピンク等のナイロン素材から成る。
【００２４】
図３に示すように、球止め８は、正面から見て略三角形状を呈し、外レール２Ａから垂下する球当接壁８１と、その端部と外レール２Ａとを法線方向に連結する連結壁８２とを備える。また、内方には、リブ８３を挟んで２つに分割される空隙８４，８５を有し、球当接壁８１の背方において遊技球の衝突に伴う衝撃を吸収するようにしている。球止め８の下面側には、底壁８６を有するが、上面側は開放させている。尚、空隙の分割数は２以上でもよいし、リブのない一つの空隙としてもよい。
【００２５】
図４は、球カバー９を示し、外レール２Ａの球入口部２Ａｅ近傍における開放側を所定長さの円弧領域にわたり覆う構造となっている。球カバー９の内方の張り出し長さは、略球１個の直径分に相当する。球カバー９の上流部分９１は、同一厚みとする下流部分９２と異なり、球入口部２Ａｅに近いほど厚みを僅かに薄くしている。
【００２６】
図５は、外レール２Ａの背面及び特徴部分の拡大断面を示す。外レール２Ａは、遊技球を案内する内壁２Ａｉと、この内壁２Ａｉと中空部２Ａｍを隔てて連続する外壁２Ａｏとを備える。内壁２Ａｉと外壁２Ａｏとは、中空部２Ａｍの頂部を覆う断面円弧状の連続壁２Ａｎで連結していると共に、中空部２Ａｍを横切る複数のリブ２Ａｌで連結している。遊技球の案内面を構成する内壁２Ａｉは外壁２Ａｏよりも肉厚及び高さを大としており、内壁２Ａｉの頂部には、遊技球のサポート小片２Ａｓを設けている。
【００２７】
外壁２Ａｏの外側には、遊技盤面に接触するフランジ形の取付片２Ａｆを設けており、適宜間隔を開けて４つ割り構造の嵌合ピン２Ａｐを一体に突設している。また、内壁２Ａｉとリブ２Ａｌとの連続部には、適宜間隔を開けてネジボス２Ａｂを一体に突設している。嵌合ピン２Ａｐとネジボス２Ａｂとにより、外レール２Ａを遊技盤２に取付けている。
【００２８】
図６は外レール２Ａの他の実施例であり、このものは、内壁２Ａｉにおける球案内面の裾部に、遊技球Ｐの外面に沿うアール２Ａｒを設けている。このアール２Ａｒは、取付片２Ａｆよりも下面をやや低くしていると共に、内方に３角断面の盗み溝２Ａｄを設けている。これにより、遊技盤２への取付時、アール２Ａｒの下面が遊技盤２に密着できるようにしていると共に、遊技球Ｐの接触が柔軟に行えるようにしている。
【００２９】
図７は中レール２Ｂの詳細を示し、上端に球止め８の上部を覆うカバー２Ｂｃを一体に設けている。また、円弧状の球案内レール２Ｂｒの前後高さ即ち盤面からの飛び出し高さと同一高さのパネル面２Ｂａを一体に備え、このパネル面２Ｂａにレール２Ｂｒに沿う装飾用凹所２Ｂｅ，２Ｂｆ，２Ｂｇ，２Ｂｈを設けている。更に、パネル面２Ｂａの右下方には、証紙貼付部２Ｂｉを設け、証紙を貼る位置を遊技盤面からフロントガラス側に近づけ、証紙が表からよく見えるようにしている。また、中レール２Ｂの下端には、レール取付け及び取外し時に指を差し入れるための開口部２Ｂｏを設けていると共に、この開口部２Ｂｏに臨む内部リブ２Ｂｌには、指の差し入れを容易にするテーパ形切欠き２Ｂｔを設けており、組立及び分解が容易に行えるようにしている。
【００３０】
図８は、以上の遊技盤装置を組込んだパチンコ遊技機である。盤面を流下する遊技球を封入式にして遊技者の手元球と分離し、クレジット機能により手元球を遊技球に変換して遊技を楽しむものである。遊技機本体１００に隣接する現金サンド２００の紙幣投入口２０１又は硬貨投入口２０２に現金を投入すると、所定個数の貸球が供給ノズル２０３、投入口６を経て下皿４に払い出される。例えば５００円なら１２５個の貸球を受け得る。いわゆるＣＲ仕様の場合、現金サンドに代わるＣＲサンドにカードを挿入し、操作パネル１１０の第１表示部１１１に表れるカード残度数の範囲内で、貸球スイッチ１２０を一回押すごとに５００円分の貸球を下皿４に受け得る。返却スイッチ１３０を押すと、ＣＲサンドからカードが返却される。
【００３１】
操作パネル１１０上の自動供給スイッチ１５０又は手動供給スイッチ１６０を押すと、下皿４の奥行方向内方に設ける排出装置５が作動し、下皿４の球が島に強制排出される。この排出する球数に等しい数だけクレジット度数が増加し、第３表示部１１３に表示される。自動供給の場合、クレジットが１０以下であると、最大２５０になるまで下皿４からの排出球を自動的にカウントし、クレジットを増加させる。手動供給の場合、手動供給スイッチ１６０を押している間だけ或は押した回数に所定の倍数を乗じた数だけ排出球をカウントし、同じく最大２５０の範囲内でクレジットを増加させる。
【００３２】
遊技機本体１００内の封入遊技球数は２５〜３０個であるが、クレジット度数に応じたのべ個数の封入遊技球を用いて遊技をすることができる。発射ハンドル１０の操作により内蔵するソレノイド式の発射装置から球を打ち出し、二重構造のフロントガラス２０Ａ，２０Ｂの内方に設ける遊技盤２に球を流下させる。そして、入賞球或はアウト球となった遊技球は内蔵する球循環装置により再び発射装置に循環させる。図８中、ａ２６は発射停止スイッチ、１１２はトラブル時のエラー符号を表示する第２表示部、１４０はクレジット残分に見合う数の球を下皿４に払い出す清算スイッチ、９は灰皿、４０は受皿４の球を遊技者の手元側のドル箱に入れる押ボタン式の球抜操作具、１８３はドア鍵部である。
【００３３】
図９に示すように、遊技盤２の裏には、特別図柄表示装置２１を配置する他、入賞球通路及び集合樋２２０を設けている。各一般入賞口２６Ａ〜Ｄの入賞球は、流下樋２２１〜２２４及び入賞球検知スイッチ１〜４（ａ４〜７）を通って集合樋２２０に開放される。始動口上２２Ｕに入賞した球は、流下樋２２６から第１種始動口上スイッチａ１を通過した後、集合樋２２０に開放される。始動口下２２Ｄに入賞した球は、電チュー検知スイッチａ３を経て流下樋２２７から第１種始動口下スイッチａ２を通過した後、集合樋２２０に開放される。アタッカ２４に入賞した球はカウントスイッチａ１１を通過した後、流下樋２２８から集合樋２２０に開放される。
【００３４】
集合樋２２０に集められた入賞球は、入賞球検知スイッチ５（ａ８）を通過した後、球循環装置側に落ちる。アウト口２９の球は直接球循環装置側に落ちる。カウントスイッチａ１１は、アタッカ２４への入賞球が１０個になるとアタッカ２４を閉じる機能をもつと共に、アタッカ２４の最大開放時間３０秒のうち、開放当初の５秒間、開放後１５秒〜２０秒の５秒間に設定したＶ入賞タイミングに１球でも入賞があると、アタッカ２４を最大１６回の繰り返しを限度に再開放させる機能をもつ。アタッカ２４への入賞球１個当たりの賞球数は例えば１５個、その他は例えば６個に設定している。尚、各入賞口２６Ａ〜Ｄに対応させた個別の入賞検知スイッチ１〜４（ａ４〜ａ７）は省略することもできる。
【００３５】
図９中、ＬＬＢはサイドＬＥＤ左基板、ＬＲＢはサイドＬＥＤ右基板、ＬＭＢは記憶ＬＥＤ基板、ＬＥＢは電チュー用ＬＥＤ基板、ＬＶＢはＶ−ＬＥＤ基板、ＬＡＢは大入賞口ＬＥＤ左基板、ＬＢＢは大入賞口ＬＥＤ右基板である。また、ａ９はゲート右２５Ｒのスイッチ、ａ１０はゲート左２５Ｌのスイッチである。
【００３６】
以上の実施形態では、封入球式のパチンコ遊技機の遊技盤装置に適用したが、上皿と下皿をもち、上皿の遊技球を発射ソレノイドに導いて遊技盤に打ち出す通常のパチンコ遊技機の遊技盤装置に適用しても勿論よい。また、パチンコ遊技機に限らず、アレンジボール遊技機、雀球遊技機等の他の弾球遊技機の遊技盤装置に適用しても勿論よい。
【図面の簡単な説明】
【図１】本発明遊技盤装置の正面図。
【図２】外レールの正面図。
【図３】球止めの説明図。
【図４】球カバーの説明図。
【図５】外レールの背面図。
【図６】外レールの他の実施例を示す背面図。
【図７】中レールの説明図。
【図８】遊技盤装置を組込んだ弾球遊技機の正面図。
【図９】遊技盤装置の背面図。
【符号の説明】
２；遊技盤
２０；ガイドレール、２Ａ；外レール、
２Ａｉ；内壁、２Ａｍ；中空部、２Ａｏ；外壁、
２Ａｌ；リブ、２Ａｆ；取付片、２Ａｒ；アール
８；球止め、８１；球当接壁、８４，８５；空隙
９；球カバー
【図１】
0003971038.tif 000002
【図２】
0003971038.tif 000003
【図３】
0003971038.tif 000004
【図４】
0003971038.tif 000005
【図５】
0003971038.tif 000006
【図６】
0003971038.tif 000007
【図７】
0003971038.tif 000008
【図８】
0003971038.tif 000009
【図９】
0003971038.tif 000010